(57)【要約】【課題】奥行きが十分でない収納空間でも、収納効率を向上させつつ衣装等が互いに干渉し合うのを抑制する。【解決手段】開口部２を有する収納空間Ａの収納構造１であって、衣装等を吊るす横ハンガーパイプ１０及び縦ハンガーパイプ２０を備える。横ハンガーパイプ１０は、平面視において、開口部２に沿う方向に配置され、縦ハンガーパイプ２０は、平面視において、横ハンガーパイプ１０に対して開口部２の反対側に配置されるとともに、横ハンガーパイプ１０と交差する方向に配置される。【選択図】図４
2018175539.tif 000002
【特許請求の範囲】
【請求項１】
開口部を有する収納空間の収納構造であって、
衣装等を吊るすための横ハンガーパイプ及び縦ハンガーパイプを備え、
前記横ハンガーパイプは、平面視において、前記開口部に沿う方向に配置され、
前記縦ハンガーパイプは、平面視において、前記横ハンガーパイプに対して前記開口部の反対側に配置されるとともに、前記横ハンガーパイプと交差する方向に配置される、
収納構造。
【請求項２】
前記横ハンガーパイプは、平面視において、前記開口部と平行な方向に配置される、
請求項１に記載の収納構造。
【請求項３】
前記縦ハンガーパイプは、平面視において、前記横ハンガーパイプと直交する方向に配置される、
請求項１又は２に記載の収納構造。
【請求項４】
前記縦ハンガーパイプは、平面視において、前記横ハンガーパイプと直交する方向に対して傾斜する方向に配置される、
請求項１又は２に記載の収納構造。
【請求項５】
平面視において、前記縦ハンガーパイプの、前記横ハンガーパイプと直交する方向に対する傾斜角度は、±２０°の範囲内である、
請求項４に記載の収納構造。
【請求項６】
前記横ハンガーパイプと前記縦ハンガーパイプとは、異なる高さに配置されている、
請求項１〜５の何れか一項に記載の収納構造。
【請求項７】
建築物に設けられた開口部を有する収納空間に収納構造を作り付ける収納構造の作り付け方法であって、
平面視において、前記開口部に沿う方向に衣装等を吊るすための横ハンガーパイプを設ける工程と、
平面視において、前記横ハンガーパイプと交差する方向に縦ハンガーパイプを設ける工程と、を有する、
収納構造の作り付け方法。
【発明の詳細な説明】
【技術分野】
【０００１】
本発明は、開口部を有する収納空間の収納構造及び収納構造の作り付け方法に関する。
【背景技術】
【０００２】
特許文献１には、シャツ、ジャケット、コート等の衣装等が収納されるクローゼットが記載されている。以下の説明では、シャツ、ジャケット、コート等の衣装等を、単に「衣装等」という。特許文献１に記載されたクローゼットでは、上下方向に延在する側面部材に間隔保持部材が取り付けられており、当該間隔保持部材や補助支柱に衣装等を吊るすハンガー棒が係止されている。そして、特許文献１に記載されたクローゼットでは、収納効率を向上させるために、奥行き方向に２本のハンガー棒が配置されている。
【先行技術文献】
【特許文献】
【０００３】
【特許文献１】特開２００６−０３４７００号公報
【発明の概要】
【発明が解決しようとする課題】
【０００４】
しかしながら、特許文献１に記載された収納構造では、２本のハンガー棒が平行に配置される。このため、建築物に作り付けられる収納構造を設けるための収納空間等の奥行きが十分でない場合は、手前側のハンガーパイプに吊るされた衣装等と奥側のハンガーパイプに吊るされた衣装等とが互いに干渉し合う。このため、収納効率が低下するとともに、衣装等に皺が発生する等の問題が発生する。一般的に、衣装等は、ハンガーに掛けられた状態でハンガーパイプに吊るされ、ハンガーの幅は４５０ｍｍ程度に設計されている。このため、奥行きが９００ｍｍ未満の収納空間、例えば、和室の押し入れ収納や集合住宅の狭小収納等を新設や改築して収納構造を作り付ける際に、上記の問題が顕著に表れる。
【０００５】
そこで、本発明は、奥行きが十分でない収納空間でも、収納効率を向上させつつ衣装等が互いに干渉し合うのを抑制することができる収納構造及び収納構造の作り付け方法を提供することを目的とする。
【課題を解決するための手段】
【０００６】
本発明に係る収納構造は、開口部を有する収納空間の収納構造であって、衣装等を吊るすための横ハンガーパイプ及び縦ハンガーパイプを備え、横ハンガーパイプは、平面視において、開口部に沿う方向に配置され、縦ハンガーパイプは、平面視において、横ハンガーパイプに対して開口部の反対側に配置されるとともに、横ハンガーパイプと交差する方向に配置される。
【０００７】
この収納構造では、横ハンガーパイプ及び縦ハンガーパイプを備えるため、ハンガーパイプが１本である場合に比べて収納空間を有効活用することができる。これにより、収納効率を向上させることができる。ここで、縦ハンガーパイプは、横ハンガーパイプに対して開口部の反対側に配置されるとともに、横ハンガーパイプと交差する方向に配置される。しかしながら、横ハンガーパイプに吊るされた衣装等は、縦ハンガーパイプと交差する方向に重なり合うため、横ハンガーパイプに吊るされた衣装等の間を通すことで、容易に縦ハンガーパイプに衣装等を吊るすことができる。
【０００８】
更に、横ハンガーパイプ及び縦ハンガーパイプは、互いに交差する方向に配置されているため、横ハンガーパイプに吊るされた衣装等と縦ハンガーパイプに吊るされた衣装等とが異なる向きとなる。このため、収納空間の奥行きが十分でない場合の、横ハンガーパイプに吊るされた衣装等と縦ハンガーパイプに吊るされた衣装等との干渉を、２本のハンガーパイプが平行に配置される場合よりも小さくすることができる。これにより、衣装等に皺が発生するのを抑制することができる。
【０００９】
しかも、縦ハンガーパイプの長さにより収納空間の奥行きに対応させることができるため、収納空間の奥行きが小さくなっても、横ハンガーパイプ及び縦ハンガーパイプの双方に衣装等を吊るすことができる。このため、２本のハンガーパイプが平行に配置される場合に比べて、収納空間の奥行きが小さい場合の収納効率を高めることができる。
【００１０】
横ハンガーパイプは、平面視において、開口部と平行な方向に配置されてもよい。この収納構造では、横ハンガーパイプが開口部と平行な方向に配置されるため、開口部から横ハンガーパイプ及び縦ハンガーパイプに衣装等を吊るしやすくなる。
【００１１】
縦ハンガーパイプは、平面視において、横ハンガーパイプと直交する方向に配置されてもよい。この収納構造では、縦ハンガーパイプが横ハンガーパイプと直交する方向に配置されるため、横ハンガーパイプに吊されられた衣装等と縦ハンガーパイプに吊るされた衣装等とが互いに干渉し合うのを更に抑制することができる。
【００１２】
縦ハンガーパイプは、平面視において、横ハンガーパイプと直交する方向に対して傾斜する方向に配置されてもよい。この収納構造では、縦ハンガーパイプが横ハンガーパイプと直交する方向に対して傾斜する方向に配置されるため、開口部から見て、縦ハンガーパイプに吊るされた複数の衣装等が左右にずれて配置される。これにより、手前側に吊るされた衣装等の側方から奥側に吊るされた衣装等の一部が見えるため、縦ハンガーパイプに吊るされた衣装等の視認性が高まる。
【００１３】
平面視において、縦ハンガーパイプの、横ハンガーパイプと直交する方向に対する傾斜角度は、±２０°の範囲内であってもよい。この収納構造では、縦ハンガーパイプの横ハンガーパイプと直交する方向に対する傾斜角度が±２０°の範囲内であるため、横ハンガーパイプ及び縦ハンガーパイプの配置自由度を高めつつ、横ハンガーパイプに吊されられた衣装等と縦ハンガーパイプに吊るされた衣装等とが過度に干渉し合うのを抑制することができる。
【００１４】
横ハンガーパイプと縦ハンガーパイプとは、異なる高さに配置されていてもよい。この収納構造では、横ハンガーパイプと縦ハンガーパイプとを異なる高さに配置することで、横ハンガーパイプ及び縦ハンガーパイプの配置自由度を向上させることができる。
【００１５】
本発明に係る収納構造の作り付け方法は、建築物に設けられた開口部を有する収納空間に収納構造を作り付ける収納構造の作り付け方法であって、平面視において、開口部に沿う方向に衣装等を吊るすための横ハンガーパイプを設ける工程と、平面視において、横ハンガーパイプと交差する方向に縦ハンガーパイプを設ける工程と、を有する。
【００１６】
この収納構造の作り付け方法では、横ハンガーパイプ及び縦ハンガーパイプを設けるため、ハンガーパイプを１本だけ設ける場合に比べて収納空間を有効活用することができる。これにより、収納効率を向上させることができる。
【００１７】
更に、横ハンガーパイプ及び縦ハンガーパイプを、互いに交差する方向に設けるため、横ハンガーパイプに吊るされた衣装等と縦ハンガーパイプに吊るされた衣装等とが異なる向きとなる。このため、収納空間の奥行きが十分でない場合の、横ハンガーパイプに吊るされた衣装等と縦ハンガーパイプに吊るされた衣装等との干渉を、２本のハンガーパイプを平行に設ける場合よりも小さくすることができる。これにより、衣装等に皺が発生するのを抑制することができる。
【００１８】
しかも、縦ハンガーパイプの長さにより収納空間の奥行きに対応させることができるため、収納空間の奥行きが小さくなっても、横ハンガーパイプ及び縦ハンガーパイプの双方に衣装等を吊るすことができる。このため、２本のハンガーパイプを平行に設ける場合に比べて、収納空間の奥行きが小さい場合の収納効率を高めることができる。
【発明の効果】
【００１９】
本発明によれば、奥行きが十分でない収納空間でも、収納効率を向上させつつ衣装等が互いに干渉し合うのを抑制することができる。
【００２０】
例えば、和室の押し入れ収納のような奥行きが７００ｍｍ程度の収納空間のリフォーム・改築に際して、特に効率的な収納性を確保することができる。また、例えば、集合住宅の狭小収納空間において収納構造を作り付ける際にも、効率的な収納性を実現できる。
【図面の簡単な説明】
【００２１】
【図１】実施形態の収納構造を下方から見た斜視図である。
【図２】実施形態の収納構造の正面図である。
【図３】実施形態の収納構造の平面図である。
【図４】図２に示すＩＶ−ＩＶ線における断面図である。
【図５】図３に示すＶ−Ｖ線における断面図である。
【図６】図３に示すＶＩ−ＶＩ線における断面図である。
【図７】（ａ）縦ハンガーパイプ係止部材の固定方法の一例を示す図であり、（ｂ）は（ａ）に示すＶＩＩｂ−ＶＩＩｂ線における断面図である。
【図８】（ａ）縦ハンガーパイプ係止部材の固定方法の一例を示す図であり、（ｂ）は（ａ）に示すＶＩＩＩｂ−ＶＩＩＩｂ線における断面図である。
【図９】実施形態の収納構造における衣装等の収納状態を示す平面図である。
【図１０】比較例の収納構造における衣装等の収納状態を示す平面図である。
【図１１】変形例１の収納構造を示す図である。
【図１２】変形例２の収納構造を示す図である。
【図１３】変形例３の収納構造を示す図である。
【図１４】変形例４の収納構造を示す図である。
【図１５】変形例５の収納構造を示す図である。
【図１６】変形例６の収納構造を示す図である。
【図１７】変形例７の収納構造を示す図である。
【発明を実施するための形態】
【００２２】
以下、図面を参照して、実施形態の収納構造について詳細に説明する。なお、全図中、同一または相当部分には同一符号を付し、重複する説明を省略する。
【００２３】
［実施形態］
図１〜図６に示すように、本実施形態の収納構造１は、開口部２を有する収納空間Ａの収納構造である。収納空間Ａは、開口部２から衣装等を収納するための空間である。収納空間Ａは、ウォークインクローゼット等のように建物の部屋により形成される空間であってもよく、チェスト等のように室内に設置される収納家具により形成される空間であってもよい。以下の説明において、左右、上下、前後等の方向は、開口部２を手前側として収納構造１を正面から見た方向を示す。なお、前後方向は、奥行き方向ともいう。
【００２４】
収納構造１は、収納空間Ａを形成する部材として、床板３と、一対の側板４，４と、天板５と、背板６と、を備える。床板３は、収納空間Ａの下側に位置して、収納空間Ａの底面を形成する。一対の側板４，４は、収納空間Ａの左側及び右側に位置して、収納空間Ａの左右の側面を形成する。天板５は、収納空間Ａの上側に位置して、収納空間Ａの天面を形成する。背板６は、収納空間Ａの後側（奥側）に位置して、収納空間Ａの背面を形成する。このため、収納空間Ａは、直方体の空間となっている。但し、収納空間Ａの形状は、直方体に限定されるものではなく、適宜変更してもよい。なお、床板３、一対の側板４，４、天板５、及び背板６は、収納構造１として必須の構成ではなく、建物の壁、天井、床等で代用してもよい。
【００２５】
開口部２は、収納空間Ａの前面に位置して、収納空間Ａと外部空間とを連通する。開口部２は、収納空間Ａの前面の全領域に形成されていてもよく、収納空間Ａの前面の一部の領域に形成されていてもよい。開口部２が収納空間Ａの前面の一部の領域に形成されている場合、例えば、収納空間Ａの前側に前板（不図示）を設け、この前板の一部の領域に開口部２を形成してもよい。また、開口部２は、扉（不図示）により開閉されるものであってもよい。扉が設けられる場合、扉を開くことで、開口部２から収納空間Ａに衣装等を収納することができる。
【００２６】
また、収納構造１は、収納空間Ａに配置されて収納空間Ａに収納される衣装等を吊るすための部材として、横ハンガーパイプ１０と、縦ハンガーパイプ２０と、を備える。
【００２７】
横ハンガーパイプ１０は、直線状に延びる棒状に形成されている。横ハンガーパイプ１０は、平面視において、開口部２に沿う方向に配置される。より具体的には、横ハンガーパイプ１０は、平面視において、開口部２と平行な方向に配置される。なお、平面視とは、収納構造１及び収納空間の平面視をいう。
【００２８】
平面視において、開口部２に沿う方向とは、開口部２と平行な方向、又は、開口部２と平行な方向に対して多少傾斜した方向をいう。上述したように、開口部２は収納空間Ａの前面に形成されるため、平面視において、開口部２と平行な方向は、収納空間Ａの左右方向と同じとなる。開口部２と平行な方向に対して多少傾斜した方向としては、例えば、開口部２と平行な方向に対して±２０°程度傾斜した方向とすることができる。
【００２９】
奥行き方向における横ハンガーパイプ１０の位置は、特に限定されないが、横ハンガーパイプ１０に吊られた衣装等が開口部２からはみ出さず、且つ、横ハンガーパイプ１０に吊られた衣装等が背板６から十分に離れる位置とすることが好ましい。
【００３０】
横ハンガーパイプ１０の一端部は、一方の側板４に固定された第一横ハンガーパイプ係止部１１により係止されており、横ハンガーパイプ１０の他端部は、他方の側板４に固定された第二横ハンガーパイプ係止部１２により係止されている。このため、第一横ハンガーパイプ係止部１１及び第二横ハンガーパイプ係止部１２による横ハンガーパイプ１０の係止位置を調整することで、横ハンガーパイプ１０の配置を調整することができる。なお、横ハンガーパイプ１０の一端部を係止する第一横ハンガーパイプ係止部１１は、必ずしも一方の側板４に固定されている必要はなく、例えば、天板５に固定されていてもよい。同様に、横ハンガーパイプ１０の他端部を係止する第二横ハンガーパイプ係止部１２は、必ずしも他方の側板４に固定されている必要はなく、例えば、天板５に固定されていてもよい。
【００３１】
縦ハンガーパイプ２０は、直線状に延びる棒状に形成されている。縦ハンガーパイプ２０は、平面視において、横ハンガーパイプ１０に対して開口部２とは反対側（図４における上側、収納空間Ａの奥側）に配置されるとともに、横ハンガーパイプ１０と交差する方向に配置される。より具体的には、縦ハンガーパイプ２０は、平面視において、横ハンガーパイプ１０と直交する方向に配置される。
【００３２】
平面視において、横ハンガーパイプ１０と交差する方向は、横ハンガーパイプ１０と平行でない方向をいう。上述したように、横ハンガーパイプ１０は、収納空間Ａの左右方向（開口部２と平行な方向）に配置されるため、横ハンガーパイプ１０と直交する方向は、収納空間Ａの奥行き方向となる。
【００３３】
左右方向における縦ハンガーパイプ２０の位置は、特に限定されないが、縦ハンガーパイプ２０に吊られた衣装等が左右の側板４，４に当接しない位置とすることが好ましい。本実施形態では、縦ハンガーパイプ２０は、左右方向における中央部に位置している。
【００３４】
縦ハンガーパイプ２０の一端部は、背板６に固定された第一縦ハンガーパイプ係止部２１により係止されており、縦ハンガーパイプ２０の他端部は、後述する框材２３に固定された第二縦ハンガーパイプ係止部２２により係止されている。このため、第一縦ハンガーパイプ係止部２１及び第二縦ハンガーパイプ係止部２２による縦ハンガーパイプ２０の係止位置を調整することで、縦ハンガーパイプ２０の配置を調整することができる。
【００３５】
図２〜図７に示すように、框材２３は、第一縦ハンガーパイプ係止部２１を固定するための部材である。框材２３は、直線状に延びる細長い板状部材である。框材２３の一方端は、一方の側板４に固定されており、框材２３の他方端は、他方の側板４に固定されている。そして、框材２３の左右方向における中央部に、第一縦ハンガーパイプ係止部２１の他端部が固定されている。
【００３６】
なお、縦ハンガーパイプ２０の一端部を係止する第一縦ハンガーパイプ係止部２１は、必ずしも背板６に固定されている必要はなく、例えば、天板５に固定されていてもよい。同様に、縦ハンガーパイプ２０の他端部を係止する第二縦ハンガーパイプ係止部２２は、必ずしも框材２３に固定されている必要はなく、例えば、図８に示すように天板５に固定されていてもよい。
【００３７】
また、横ハンガーパイプ１０及び縦ハンガーパイプ２０は、水平方向に配置されており、横ハンガーパイプ１０と縦ハンガーパイプ２０とは、同じ高さに配置されている。なお、横ハンガーパイプ１０及び縦ハンガーパイプ２０の高さ方向の調整は、第一横ハンガーパイプ係止部１１、第二横ハンガーパイプ係止部１２、第一縦ハンガーパイプ係止部２１及び第二縦ハンガーパイプ係止部２２の固定位置、上下方向の長さ等により調整することができる。
【００３８】
次に、本実施形態に係る収納構造の作り付け方法について説明する。
【００３９】
本実施形態に係る収納構造の作り付け方法は、建築物に設けられた開口部を有する収納空間に収納構造を作り付ける方法である。具体的には、建築物に設けられた開口部を有する収納空間に、上述した収納構造１の横ハンガーパイプ１０及び縦ハンガーパイプ２０を設ける方法である。なお、以下の説明においてカッコ書きの符号は、上述した収納構造１の対応する構成要素の符号を示している。
【００４０】
本実施形態に係る収納構造の作り付け方法では、まず、平面視において、開口部（２）に沿う方向に衣装等を吊るすための横ハンガーパイプ（１０）を設ける。次に、平面視において、横ハンガーパイプ（１０）と交差する方向に縦ハンガーパイプ（２０）を設ける。なお、横ハンガーパイプ（１０）を設ける工程及び縦ハンガーパイプ（２０）を設ける工程では、横ハンガーパイプ（１０）及び縦ハンガーパイプ（２０）が、上述した収納構造１の横ハンガーパイプ１０及び縦ハンガーパイプ２０と同様となるように、横ハンガーパイプ（１０）及び縦ハンガーパイプ（２０）を設けることができる。
【００４１】
ここで、比較例の収納構造との比較において、本実施形態の収納構造１の効果について説明する。
【００４２】
図１０に示すように、比較例の収納構造１００は、横ハンガーパイプ１１０と、横ハンガーパイプ１２０と、を備える。横ハンガーパイプ１１０及び横ハンガーパイプ１２０は、開口部２と平行な方向に、互いに平行に配置される。
【００４３】
このような比較例の収納構造１００では、横ハンガーパイプ１１０及び横ハンガーパイプ１２０を備えるため、ハンガーパイプが１本である場合に比べて収納空間Ａを有効活用することができる。これにより、収納効率を向上させることができる。しかしながら、横ハンガーパイプ１１０及び横ハンガーパイプ１２０は、互いに平行に配置されるため、横ハンガーパイプ１１０に吊るされた衣装等と横ハンガーパイプ１２０に吊るされた衣装等とが同じ向きとなる。そして、横ハンガーパイプ１１０及び横ハンガーパイプ１２０に吊るされた衣装等は、横ハンガーパイプ１１０及び横ハンガーパイプ１２０の対向方向に広がるため、収納空間Ａの奥行きが十分でないと、横ハンガーパイプ１１０に吊るされた衣装等と横ハンガーパイプ１２０に吊るされた衣装等とが互いに干渉し合う。このため、衣装等に皺が発生する等の問題が発生する。しかも、収納空間Ａの奥行きが更に小さくなると、横ハンガーパイプ１１０と横ハンガーパイプ１２０との間隔が狭くなり過ぎて、横ハンガーパイプ１１０又は横ハンガーパイプ１２０何れか一方にしか衣装等を吊るすことができなくなり、収納効率が大きく低下する。
【００４４】
これに対し、本実施形態の収納構造１及び収納構造の作り付け方法では、横ハンガーパイプ１０及び縦ハンガーパイプ２０を備えるため、ハンガーパイプが１本である場合に比べて、収納空間Ａを有効活用することができる。これにより、収納効率を向上させることができる。ここで、縦ハンガーパイプ２０は、横ハンガーパイプ１０に対して開口部２の反対側に配置されるとともに、横ハンガーパイプ１０と交差する方向に配置される。しかしながら、横ハンガーパイプ１０に吊るされた衣装等は、縦ハンガーパイプ２０と交差する方向に重なり合うため、横ハンガーパイプ１０に吊るされた衣装等の間を通すことで、容易に縦ハンガーパイプ２０に衣装等を吊るすことができる。
【００４５】
更に、横ハンガーパイプ１０及び縦ハンガーパイプ２０は、互いに交差する方向に配置されているため、横ハンガーパイプ１０に吊るされた衣装等と縦ハンガーパイプ２０に吊るされた衣装等とが異なる向きとなる。このため、収納空間Ａの奥行きが十分でない場合の、横ハンガーパイプ１０に吊るされた衣装等と縦ハンガーパイプ２０に吊るされた衣装等との干渉を、比較例の収納構造１００よりも小さくすることができる。これにより、衣装等に皺が発生するのを抑制することができる。
【００４６】
しかも、縦ハンガーパイプ２０の長さにより収納空間Ａの奥行きに対応させることができるため、収納空間Ａの奥行きが小さくなっても、縦ハンガーパイプ２０の長さが短くなるだけで、横ハンガーパイプ１０及び縦ハンガーパイプ２０の双方に衣装等を吊るすことができる。このため、比較例の収納構造１００に比べて、収納空間Ａの奥行きが小さい場合の収納効率を高めることができる。
【００４７】
また、この収納構造１では、横ハンガーパイプ１０が開口部２と平行な方向に配置されるため、開口部２から横ハンガーパイプ１０及び縦ハンガーパイプ２０に衣装等を吊るしやすくなる。
【００４８】
また、この収納構造１では、縦ハンガーパイプ２０が横ハンガーパイプ１０と直交する方向に配置されるため、横ハンガーパイプ１０に吊されられた衣装等と縦ハンガーパイプ２０に吊るされた衣装等とが互いに干渉し合うのを更に抑制することができる。
【００４９】
以上、本発明の好適な実施形態について説明したが、本発明は上記実施形態に限定されるものではなく、適宜変更することができる。例えば、上記実施形態では、横ハンガーパイプ及び縦ハンガーパイプは、直線状に延びる棒状に形成されるものとして説明したが、屈曲した形状に形成されるものであってもよく、ハンガーを引っ掛ける段部、フック、開口等が形成されているものであってもよい。
【００５０】
また、図１１〜図１７に示す変形例の収納構造としてもよい。
【００５１】
［変形例１］
図１１は、本実施形態の変形例１に係る収納構造１Ａを示している。図１１は、図４に対応する断面を示している。変形例１の収納構造１Ａでは、縦ハンガーパイプ２０が、平面視において、横ハンガーパイプ１０と直交する方向に対して傾斜する方向に配置されている。この場合、平面視において、縦ハンガーパイプ２０の、横ハンガーパイプ１０と直交する方向に対する傾斜角度θは、例えば、±２０°の範囲内とすることができる。
【００５２】
このように、変形例１の収納構造１Ａでは、縦ハンガーパイプ２０が横ハンガーパイプ１０と直交する方向に対して傾斜する方向に配置されるため、開口部２から見て、縦ハンガーパイプ２０に吊るされた複数の衣装等が左右にずれて配置される。これにより、手前側に吊るされた衣装等の側方から奥側に吊るされた衣装等の一部が見えるため、縦ハンガーパイプ２０に吊るされた衣装等の視認性が高まる。
【００５３】
また、縦ハンガーパイプ２０の横ハンガーパイプ１０と直交する方向に対する傾斜角度θが±２０°の範囲内である場合は、横ハンガーパイプ１０及び縦ハンガーパイプ２０の配置自由度を高めつつ、横ハンガーパイプ１０に吊されられた衣装等と縦ハンガーパイプ２０に吊るされた衣装等とが過度に干渉し合うのを抑制することができる。
【００５４】
［変形例２］
図１２は、本実施形態の変形例２に係る収納構造１Ｂを示している。図１２は、図４に対応する断面を示している。変形例２の収納構造１Ｂでは、横ハンガーパイプ１０が、平面視において、開口部２と平行でない方向に配置されている。ところで、開口部２が、収納構造１Ｂの奥行き方向に対して直交する方向（収納構造１Ｂの左右方向）に形成されていない場合、平面視において、横ハンガーパイプ１０を開口部２と平行な方向に配置すると、収納効率が低下する可能性がある。そこで、このような場合に、横ハンガーパイプ１０を、開口部２と平行な方向に配置せずに、収納構造１Ｂの奥行き方向に対して直交する方向に配置することで、収納効率を向上させることができる。なお、横ハンガーパイプ１０の向きは、平面視において開口部２に沿う範囲で、適宜変更することができる。
【００５５】
［変形例３］
図１３は、本実施形態の変形例３に係る収納構造１Ｃを示している。図１３は、図４に対応する断面を示している。変形例３の収納構造１Ｃでは、縦ハンガーパイプ２０が横ハンガーパイプ１０に接続されている。このように横ハンガーパイプ１０と縦ハンガーパイプ２０とが接続されていても、横ハンガーパイプ１０に吊られた衣装等と縦ハンガーパイプ２０に吊られた衣装等との向きは上記実施形態と同じとなる。
【００５６】
［変形例４］
図１４は、本実施形態の変形例４に係る収納構造１Ｄを示している。図１４は、図６に対応する断面を示している。変形例４の収納構造１Ｄでは、横ハンガーパイプ１０と縦ハンガーパイプ２０とが異なる高さに配置されている。より具体的には、縦ハンガーパイプ２０は、横ハンガーパイプ１０よりも下方に配置されている。なお、上述したように、横ハンガーパイプ１０及び縦ハンガーパイプ２０の上下位置は、第一横ハンガーパイプ係止部１１、第二横ハンガーパイプ係止部１２、第一縦ハンガーパイプ係止部２１及び第二縦ハンガーパイプ係止部２２の固定位置、上下方向の長さ等により調整することができる。
【００５７】
このように、横ハンガーパイプ１０と縦ハンガーパイプ２０とを異なる高さに配置することで、横ハンガーパイプ１０及び縦ハンガーパイプ２０の配置自由度を向上させることができる。
【００５８】
ところで、横ハンガーパイプ１０の奥側に配置される縦ハンガーパイプ２０は、開口部２からの距離が横ハンガーパイプ１０よりも遠い。そこで、縦ハンガーパイプ２０を横ハンガーパイプ１０よりも下方に配置することで、縦ハンガーパイプ２０に手が届きやすくすることができる。
【００５９】
［変形例５］
図１５は、本実施形態の変形例５に係る収納構造１Ｅを示している。図１５は、図６に対応する断面を示している。変形例５の収納構造１Ｅでは、縦ハンガーパイプ２０が、上下方向に傾斜している。より具体的には、縦ハンガーパイプ２０が、開口部２側に向かって下方に傾斜している。
【００６０】
このように、縦ハンガーパイプ２０を上下方向に傾斜させることで、縦ハンガーパイプ２０の配置自由度を向上させることができる。
【００６１】
そして、縦ハンガーパイプ２０を開口部２側に向かって下方に傾斜させることで、開口部２から見て、縦ハンガーパイプ２０に吊るされた複数の衣装等が上下にずれて配置される。これにより、手前側に吊るされた衣装等の上方から奥側に吊るされた衣装等の一部が見えるため、縦ハンガーパイプ２０に吊るされた衣装等の視認性が高まる。
【００６２】
［変形例６］
図１６は、本実施形態の変形例６に係る収納構造１Ｆを示している。図１６は、図６に対応する断面を示している。変形例６の収納構造１Ｆでは、横ハンガーパイプ１０が上下方向に複数配置されており、また、縦ハンガーパイプ２０が上下方向に複数配置されている。より具体的には、横ハンガーパイプ１０及び縦ハンガーパイプ２０が上下方向に２つ配置されている。この場合、上側に配置される横ハンガーパイプ１０及び縦ハンガーパイプ２０と上側に配置される横ハンガーパイプ１０及び縦ハンガーパイプ２０とは、同じ方法により固定することができる。
【００６３】
このように、横ハンガーパイプ１０及び縦ハンガーパイプ２０を上下方向に複数配置することで、収納効率を更に向上することができる。なお横ハンガーパイプ１０又は縦ハンガーパイプ２０の何れか一方のみを、上下方向に複数配置してもよい。
【００６４】
［変形例７］
図１７は、本実施形態の変形例７に係る収納構造１Ｇを示している。図１７は、図４に対応する断面を示している。変形例７の収納構造１Ｇでは、収納空間Ａが左右方向に長い構造となっており、左右方向に複数の縦ハンガーパイプ２０が配置されている。この場合、隣り合う縦ハンガーパイプ２０の間隔は、各縦ハンガーパイプ２０に吊られた衣装等が互いに干渉し合わない間隔とすることが好ましい。
【００６５】
このように、収納空間Ａが左右方向に長い場合は、縦ハンガーパイプ２０を左右方向に複数設けることで、収納効率を向上することができる。この場合、横ハンガーパイプ１０が長くなりやすいため、組立容易性及び強度保持性の観点から、横ハンガーパイプ１０を複数に分割してもよい。なお、収納空間Ａの奥行きが十分にある場合は、奥行き方向に複数の横ハンガーパイプ１０を配置してもよいが、縦ハンガーパイプ２０に衣装等を吊るしやすい観点からは、奥行き方向に１つの横ハンガーパイプ１０のみを配置することが好ましい。
【符号の説明】
【００６６】
１，１Ａ，１Ｂ，１Ｃ，１Ｄ，１Ｅ，１Ｆ，１Ｇ…収納構造、２…開口部、３…床板、４…側板、５…天板、６…背板、１０…横ハンガーパイプ、１１…第一横ハンガーパイプ係止部、１２…第二横ハンガーパイプ係止部、２０…縦ハンガーパイプ、２１…第一縦ハンガーパイプ係止部、２２…第二縦ハンガーパイプ係止部、２３…框材、１００…収納構造、１１０…横ハンガーパイプ、１２０…横ハンガーパイプ、Ａ…収納空間。
【図１】
2018175539.tif 000003
【図２】
2018175539.tif 000004
【図３】
2018175539.tif 000005
【図４】
2018175539.tif 000006
【図５】
2018175539.tif 000007
【図６】
2018175539.tif 000008
【図７】
2018175539.tif 000009
【図８】
2018175539.tif 000010
【図９】
2018175539.tif 000011
【図１０】
2018175539.tif 000012
【図１１】
2018175539.tif 000013
【図１２】
2018175539.tif 000014
【図１３】
2018175539.tif 000015
【図１４】
2018175539.tif 000016
【図１５】
2018175539.tif 000017
【図１６】
2018175539.tif 000018
【図１７】
2018175539.tif 000019